(57)【特許請求の範囲】
【請求項１】
一端を開口した開口部を備え、他端を閉塞部とする共に、２以上の接眼レンズのカバー部分および対物レンズに挿通される孔並びに棒状のグリップを覆うことができる全体が筒袋状ドレープ本体に形成し、前記閉塞部より裏返し乍ら手術用顕微鏡に被せて、無菌状態の内側を反転した外側とするマイクロドレープであって、前記棒状のグリップを挿入するための先端が閉鎖された筒状部材を、前記筒袋状ドレープ本体に設けて成ることを特徴とするマイクロドレープ。
【請求項２】
筒状部材は、発泡ポリウレタン等のやや硬いスポンジで形成されるリングを基部に介在させて成ることを特徴とする請求項１記載のマイクロドレープ。
【請求項３】
筒袋状ドレープ本体は、手術用顕微鏡の接眼レンズのうち、術者用接眼レンズに相当する箇所に装着するカバー部分の位置にマーキングを施してあることを特徴とする請求項１記載のマイクロドレープ。
【請求項４】
筒袋状ドレープ本体は、表裏を反転させて裏面の内側を包装滅菌してあることを特徴とする請求項１または３記載のマイクロドレープ。
【発明の詳細な説明】
【０００１】
【発明の属する技術分野】
この発明は、手術用顕微鏡を覆うための使い捨て可能な顕微鏡用ドレープすなわち、マイクロドレープに関するものである。
【０００２】
【従来の技術】
脳神経外科や眼科領域での手術は、患部以外の損傷を防ぐため、ユニバーサルな動きが可能な連結アームで形成された脚部材の先端に設けられる手術用顕微鏡を用いて患部を拡大しながら、かつ細心の注意を払いながら行われているが、顕微鏡は滅菌処理ができないため、滅菌処理されたマイクロドレープと呼ばれる覆布を被せて、手術用の清潔さを保っている。
【０００３】
例えば、特開昭６０−３６０４３号公報や特開平４−９２６５６号公報に示されるマイクロドレープが知られている。
【０００４】
【発明が解決しようとする課題】
しかしながら、これらのマイクロドレープでは手術用顕微鏡が術者のニーズに合わせて改良されているにも関わらず、手術の都度、使用済のものは廃棄されるためコスト面から単純な平面形状のままであり、手術用顕微鏡に装着した際に、この顕微鏡を適正位置に移動操作するために設けられている棒状のグリップを綺麗に被覆できず、グリップの覆布がだぶつき、その一部が対物レンズ側にはみ出して視野を遮るか、逆に覆布が突っ張り、グリップ把持の自由が利かなくなるかなどの問題点があった。
【０００５】
又、マイクロドレープは略袋状であるが、その全長は約４ｍと長く、手術用顕微鏡に装着する際に、開口部から被せると、アーム部、関節部や接眼レンズ部等に不用意に引っ掛けて破いてしまうと言ったことも生じていた。
【０００６】
さらに、マイクロドレープの素材は透明であるので、装着作業時に上下等正しい位置に装着されているか否かが判りにくいと言う種々の問題点があった。
【０００７】
この発明は、叙上の点に着目して成されたもので、コストを殆ど上昇させず、主としてグリップや接眼レンズまたは対物レンズ回りの取り回し被覆操作を容易にし、装着を容易にするマイクロドレープを提供することを目的とする。
【０００８】
【課題を解決するための手段】
この発明は以下の構成を備えることにより上記課題を解決できるものである。
【０００９】
（１）一端を開口した開口部を備え、他端を閉塞部とする共に、２以上の接眼レンズのカバー部分および対物レンズに挿通される孔並びに棒状のグリップを覆うことができる全体が筒袋状ドレープ本体に形成し、前記閉塞部より裏返し乍ら手術用顕微鏡に被せて、無菌状態の内側を反転した外側とするマイクロドレープであって、前記棒状のグリップを挿入するための先端が閉鎖された筒状部材を、前記筒袋状ドレープ本体に設けて成ることを特徴とするマイクロドレープ。
【００１０】
（２）筒状部材は、発泡ポリウレタン等のやや硬いスポンジで形成されるリングを基部に介在させて成ることを特徴とする前記（１）記載のマイクロドレープ。
【００１１】
（３）筒袋状ドレープ本体は、手術用顕微鏡の接眼レンズのうち、術者用接眼レンズに相当する箇所に装着するカバー部分の位置にマーキングを施してあることを特徴とする前記（１）記載のマイクロドレープ。
【００１２】
（４）筒袋状ドレープ本体は、表裏を反転させて裏面の内側を包装滅菌してあることを特徴とする前記（１）または（３）記載のマイクロドレープ。
【００１３】
【発明の実施の形態】
つぎに、この発明の一実施例を図面と共に説明する。
【００１４】
この実施例で示すこの発明の図１ないし図３のマイクロドレープＡは、図４に示す構成の手術用顕微鏡Ｍに被覆するためのものであって、この顕微鏡Ｍは、台座に相当する床上に載置した土台Ｐと、この土台Ｐより突出させた３個のアームＱとこれらのアームＱを自由自在に回動させることができる関節Ｒとを有する脚部材Ｓとを備えており、この脚部材Ｓの最先部のアームＱの先端に前記手術用顕微鏡Ｍを装着してある。そして、この顕微鏡Ｍは、先端部に対物レンズＴを設け、更に術者用接眼レンズＵとアシスタント用の接眼レンズＶ並びにインターン生などの他のアシスタント用の接眼レンズ（図示せず）を前記アシスタント用の接眼レンズＶと反対側に設けてあり、しかも両眼で観察できるように２個一組で形成され、従って、全体として長さ約４ｍ，幅約１ｍの大きさを有し、３組の接眼レンズ構成を備え、さらに顕微鏡Ｍを移動させるための二本の棒状のグリップＷを設けたものを対象としている。
【００１５】
したがって、このマイクロドレープＡは、少なくとも長さ約４ｍ，幅約１ｍを備えており、厚さ１００μｍ〜３００μｍのポリエチレン，ポリプロピレンポリ塩化ビニル等の柔軟で透明な原料で作られ、開口部１を開口した以外は周囲が綴じられた、略袋状となっている筒袋状ドレープ本体２を形成している。そして手術用顕微鏡Ｍの対物レンズＴを挿通できる嵌合用ゴムリング３やグリップＷを覆う為の発泡ポリウレタン製のリング４ａ，４ｂの付いた先端が閉鎖された筒状部材、即ち筒状カバー５ａ，５ｂがそれぞれ所定位置に取り付けられていると共に、本体２には、対物レンズＴや前記筒状カバー５ａ，５ｂを固着させる箇所には所定の大きさの孔６，７ａ，７ｂが開けられている。
【００１６】
また、術者用接眼レンズＵを覆うためのカバー部分８ａ，８ｂや、アシスタント用接眼レンズＶを覆うためのカバー部分９ａ，９ｂ，９ｃ，９ｄには、それぞれ端部から５ｍｍ程度の部分に破り除去可能のスリット切れ目１０と、術者用接眼レンズＶのカバー部分８ａ，８ｂには簡単な目印のマーキング（図示せず）が設けてある。そして、マイクロドレープＡの内面内側は完全な無菌処理を施して、全体を扁平にして小さく折り畳んで滅菌包装している。
【００１７】
叙上の構成において、使用に際しては、先ず滅菌包装から小さく折畳まれているマイクロドレープＡを取り出し、対物レンズＴの嵌合用ゴムリング３が現れる程度まで広げ、筒袋状ドレープの本体２の閉塞部を端部から裏通し乍ら手術用顕微鏡Ｍの前部から被せ、始めに対物レンズＴに嵌合用ゴムリング３を嵌合させ、つぎにグリップＷを筒状カバー５ａに、もう一方のグリップ（図示せず）を他の筒状カバー５ｂに嵌合させる。この時、筒状カバー５ａ，５ｂの端部には発泡ポリウレタン製のリング４ａ，４ｂがあるので、その位置が、明瞭となり、また、発泡ポリウレタン製のリング４ａ，４ｂを持ちながら装着できるので、力を入れやすく、スムーズにしかも、簡単、迅速に装着することができる。
【００１８】
次いで目印のマーキングを施してあるカバー部分８ａ，８ｂを術者用接眼レンズＵに、またアシスタント用接眼レンズのカバー部分９ａ，９ｂ，９ｃ，９ｄを接眼レンズＶ及びもう一組のアシスタント用接眼レンズ（図示せず）に順次装着し、手術用顕微鏡Ｍをまず覆う（図３に示す筒袋状ドレープ本体２の点線状態参照）。
【００１９】
そして、手術用顕微鏡Ｍを覆った後、図３の矢符に示すとおり、筒袋状ドレープ本体２を、アームＱ，関節Ｒから土台Ｐへ向けて、アームＱ等に沿わせながら、且つ裏表を反転させながら手術用顕微鏡全体を覆ってゆく。
【００２０】
この時、筒袋状ドレープ本体２は、裏表を反転させながら覆ってゆくので、手術用顕微鏡Ｍの複雑な凹凸や、関節Ｒ等に引っ掛かることが無く装着することが出来、また、作業中誤って筒袋状ドレープ本体２を床に着けてしまった場合があっても、顕微鏡Ｍに装着後は、床に触れた面は、内側（清潔域でない方）になるので、新しい筒袋状ドレープ本体２を用意する必要はない。
【００２１】
なお、手術用顕微鏡Ｍを含め、全体をマイクロドレープＡで覆った後、細かい位置の修正を行い、ビニールテープなど（図示せず）で数ヶ所縛り、それ以上マイクロドレープＡがずれることを防ぐことができる。この時、グリップＷを覆う筒状部材の筒状カバー５ａ，５ｂが、３次元の立体的に設けられてあるので、実際に手で握り、且つグリップＷを、ある程度自由に動かせるための余裕部（だぶつき）を持たせなくて良いので、その余裕部が対物レンズＴ側にはみ出して、視野を遮る事無く、また、その反対に余裕が少なすぎて、グリップＷを握り難く、動く範囲を狭くしてしまうなどの不都合も生じない。
【００２２】
また、各接眼レンズ用カバー部分９ａ，９ｂ，９ｃ，９ｄに入っているスリット切れ目１０を破き、レンズだけ露出させることができる。
【００２３】
更に、マイクロドレープＡの製造に際しては、全体の形状は、従来と同様であり、嵌合用ゴムリング３を嵌合させるための孔６を開けて、対物レンズＴの嵌合用ゴムリング３を装着する工程は、従来通りで可能であるので、孔６を開ける工程に筒状カバー５ａ，５ｂの取付用の孔７ａ，７ｂを開ける作業を加えればよく、さらに対物レンズＴの嵌合用ゴムリング３の装着を接着する工程で、筒状カバー５ａ，５ｂ及び発泡ポリウレタン製のリング４ａ，４ｂを取り付ける工程を加えればよい。また、筒状カバー５ａ，５ｂと発泡ポリウレタン製のリング４ａ，４ｂの取り付けは、例えばヒートシール法によって、全作業を一工程で行うことができる。
【００２４】
以上、この発明について、従来の一般に知られている脳神経外科や眼科手術用の顕微鏡を被覆するマイクロドレープについて説明したが、接眼レンズが２個の場合とか、４個以上の場合や、グリップが一個の場合とか、接眼レンズやグリップの設置箇所が前記実施の形態に示した顕微鏡の構成と異なる場合にも、単に筒袋状ドレープ本体の形状を変更すれば良く、要はグリップや接眼レンズまたは対物レンズなど顕微鏡本体より突出箇所に適合する構成に成形すれば良く、この発明は上記実施の形態に限定されることなく自由に変更できることは勿論である。
【００２５】
【発明の効果】
この発明は、叙上のように手術用顕微鏡全体を無菌状態の筒袋状ドレープ本体によって完全に被覆でき、ことに棒状のグリップは筒状部材で完全に適合した状態でカバーできるので術者の顕微鏡操作を円滑、安全に行うことができると共に、筒状部材は発泡ポリウレタンなどのやや硬いスポンジ状のリングを基部に介在させてあるので、グリップへの挿着が軽快に行えるものであって、さらに術者用接眼レンズへのカバー部分にマーキングを施すことができるので、筒袋状ドレープ本体の被覆操作を間違いなく、しかも能率よく行うことができる等の効果を有する。
【図面の簡単な説明】
【図１】この発明のマイクロドレープの一実施例を示す全体の平面図
【図２】図１のＸ方向から見た左側面図
【図３】図１のＹ方向から見た下面図
【図４】手術用顕微鏡にマイクロドレープの被覆使用状態を示す説明側面図
【図５】（ａ），（ｂ）  図４に示すマイクロドロープが手術用顕微鏡に反転被覆される状態を拡大して示す側面図と正面図
【符号の説明】
１  開口部
２  筒袋状ドレープ本体
３  嵌合用ゴムリング
４ａ，４ｂ  発泡ポリウレタン製のリング
５ａ，５ｂ  筒状カバー（筒状部材）
６，７ａ，７ｂ  孔
８ａ，８ｂ，９ａ，９ｂ，９ｃ，９ｄ  カバー部分
１０  スリット切り目
Ａ  マイクロドレープ
Ｍ  手術用顕微鏡
Ｐ  土台
Ｑ  アーム
Ｒ  関節
Ｓ  脚部材
Ｔ  対物レンズ
Ｕ  術者用の接眼レンズ
Ｖ  アシスタント用の接眼レンズ
Ｗ  グリップ
【図１】
0003626142.tif 000002
【図２】
0003626142.tif 000003
【図３】
0003626142.tif 000004
【図４】
0003626142.tif 000005
【図５】
0003626142.tif 000006